(57)【要約】【課題】太陽光発電装置が生成した電力と系統へ売却した電力とに基づいて、ユーザに有益な情報を与えることができるネットワークシステムおよび通信方法を提供する。【解決手段】通信方法は、コントローラ１００が、太陽光発電装置２００Ｘによる発電量を取得するステップと、コントローラ１００が、電力系統への売電量とを取得するステップと、コントローラ１００が、太陽光発電装置２００Ｘに関する情報をサーバ３００へと送信するステップと、サーバ３００が、太陽光発電装置２００Ｘによる発電量と電力系統への売電量との差分または割合に対応するメッセージをコントローラ１００へと送信するステップと、コントローラ１００が、サーバ３００からのメッセージをディスプレイに表示させるステップとを備える。【選択図】図１
2012027697.tif 000002
【特許請求の範囲】
【請求項１】
太陽光発電装置と通信可能なコントローラと、前記コントローラと通信可能なサーバとを備えるネットワークシステムであって、
前記コントローラは、
端末通信インターフェイスと、
ディスプレイと、
プロセッサとを含み、
前記プロセッサは、
前記太陽光発電装置による発電量と電力系統への売電量とを取得し、
前記端末通信インターフェイスを介して前記太陽光発電装置に関する情報を前記サーバへと送信し、
前記サーバからのメッセージを前記ディスプレイに表示させ、
前記サーバは、
サーバ通信インターフェイスと、
前記サーバ通信インターフェイスを介して、前記太陽光発電装置による発電量と前記電力系統への売電量との差分または割合に対応する前記メッセージを前記コントローラへと送信するためのサーバプロセッサとを含む、ネットワークシステム。
【請求項２】
前記プロセッサは、前記端末通信インターフェイスを介して、前記太陽光発電装置による発電量と前記太陽光発電装置から電力系統への売電量とを、前記太陽光発電装置に関する情報として前記サーバへと送信し、
前記サーバは、複数種類のメッセージの各々を前記発電量と前記売電量との差分または割合に対応するポイントに対応付けて記憶するためのメモリを含み、
前記サーバプロセッサは、前記発電量と前記売電量との差分または割合に対応するポイントを計算し、前記ポイントを前記コントローラ毎に前記メモリに蓄積し、前記サーバ通信インターフェイスを介して前記ポイントに対応する前記メッセージを前記コントローラへと送信する、請求項１に記載のネットワークシステム。
【請求項３】
前記プロセッサは、
前記太陽光発電装置による発電量と、前記太陽光発電装置から電力系統への売電量との差分または割合に対応するポイントを計算し、
前記端末通信インターフェイスを介して前記ポイントを、前記太陽光発電装置に関する情報として前記サーバへと送信し、
前記サーバは、複数種類のメッセージの各々を前記ポイントに対応付けて記憶するためのメモリを含み、
前記サーバプロセッサは、前記ポイントを前記コントローラ毎に前記メモリに蓄積し、前記サーバ通信インターフェイスを介して前記ポイントに対応する前記メッセージを前記コントローラへと送信する、請求項１に記載のネットワークシステム。
【請求項４】
前記コントローラは、少なくとも１つの家電と通信可能であって、
前記プロセッサは、
前記端末通信インターフェイスを介して前記少なくとも１つの家電に関する家電情報を前記サーバへと送信し、
前記メモリは、前記複数種類のメッセージの各々を前記家電情報に対応付けて記憶し、
前記サーバプロセッサは、前記サーバ通信インターフェイスを介して前記家電情報に対応する前記メッセージを前記コントローラへと送信する、請求項２または３に記載のネットワークシステム。
【請求項５】
太陽光発電装置と通信可能なコントローラと、前記コントローラと通信可能なサーバとを含むネットワークシステムにおける通信方法であって、
前記コントローラが、前記太陽光発電装置による発電量を取得するステップと、
前記コントローラが、電力系統への売電量とを取得するステップと、
前記コントローラが、前記太陽光発電装置に関する情報を前記サーバへと送信するステップと、
前記サーバが、前記太陽光発電装置による発電量と前記電力系統への売電量との差分または割合に対応するメッセージを前記コントローラへと送信するステップと、
前記コントローラが、前記サーバからのメッセージをディスプレイに表示させるステップとを備える、通信方法。
【発明の詳細な説明】
【技術分野】
【０００１】
本発明は、太陽光発電装置を制御するためのコントローラと当該コントローラと通信可能なサーバとを含むネットワークシステムの技術に関する。
【背景技術】
【０００２】
住宅などに配置される太陽光発電装置と当該太陽光発電装置を制御するためのコントローラとが知られている。また、太陽光発電装置からの電力を系統に供給する（売電する）ための技術が知られている。
【０００３】
たとえば、特開２００６−３５３００５号公報（特許文献１）には、ホームネットワークシステムが開示されている。特開２００６−３５３００５号公報（特許文献１）によると、外部ネットワークに接続されたホームネットワークと、ホームネットワークに接続されるホームサーバ、機器及びコントローラとを含むホームネットワークシステムにおいて、機器は、機器を判別するコード情報を有しており、外部ネットワークには、機器を判別するコード情報と、該コード情報に対応し、当該機器の消費電力に関する個別ルールが設定された共通ルールサーバを有し、機器は、ホームサーバに対して、機器のコード情報を送信し、ホームサーバは、受信したコード情報を基に共通ルールサーバにアクセスして、機器の個別ルールを取得し、該個別ルールに基づいて、ホームネットワークに接続された機器の消費電力を算出し、コントローラに表示する。
【０００４】
特開２００６−１６３６１０号公報（特許文献２）には、省エネ活動奨励方法が開示されている。特開２００６−１６３６１０号公報（特許文献２）によると、一需要家である登録会員が通信端末を用いて通信ネットワーク回線を介して管理センタの管理サーバにログインするログイン段階と、管理サーバが登録会員を特定し、登録会員の過去のエネルギ使用実績から今後の一定期間のエネルギ削減目標を作成して登録会員の通信端末の画面に表示させるとともに、エネルギ削減目標を達成できるか否かを試みる節約チャレンジへの参加申し込みを促すエネルギ削減目標送信段階と、登録会員が画面上に表示されたエネルギ削減目標を参照し、節約チャレンジへの参加申し込みを行う参加申込段階と、一定期間経過後に管理サーバがエネルギ削減目標の達成度に応じたポイントを登録会員に付与するポイント付与段階と、登録会員が付与されたポイントを金品や各種サービスと交換するポイント利用段階と、を備える。
【０００５】
特開２００６−１７２０７５号公報（特許文献３）には、使用状況管理装置が開示されている。特開２００６−１７２０７５号公報（特許文献３）によると、使用状況管理装置は、電気機器の利用者を識別する利用者識別子と、省エネルギーを実現するための電気機器の使用条件を示すデータである使用条件データと、電気機器を識別する機器識別子と、をネットワークを介して受信して使用条件記憶部に記憶し、ネットワークを介して接続されている電気機器の使用状況を示すデータと、電気機器の機器識別子と、を含むデータである使用状況データをネットワークを介して受信して使用状況記憶部に記憶し、使用状況データによって示される使用状況が、使用条件データによって示される使用条件を満たしている場合にポイントを生成する。
【先行技術文献】
【特許文献】
【０００６】
【特許文献１】特開２００６−３５３００５号公報
【特許文献２】特開２００６−１６３６１０号公報
【特許文献３】特開２００６−１７２０７５号公報
【発明の概要】
【発明が解決しようとする課題】
【０００７】
太陽光発電装置による発電量が増加するほど系統から購入する電力量が低下する。すなわち、太陽光発電装置による発電量が増加するほど省エネに寄与することになる。太陽光発電装置が生成した電力のうち、系統側へと売却される電力に関しては、ユーザは電力会社から売却代金を受け取ることができる。しかしながら、太陽光発電装置が生成した電力のうち、住宅内で使用した電力に関しては、省エネに寄与しているにも関わらず、ユーザはメリットを享受することができない。
【０００８】
本発明は、かかる問題を解決するためになされたものであり、その目的は、太陽光発電装置が生成した電力と系統へ売却した電力とに基づいて、ユーザに有益な情報を与えることができるネットワークシステムおよび通信方法を提供することである。
【課題を解決するための手段】
【０００９】
この発明のある局面に従うと、太陽光発電装置と通信可能なコントローラと、コントローラと通信可能なサーバとを備えるネットワークシステムが提供される。コントローラは、端末通信インターフェイスと、ディスプレイと、プロセッサとを含む。プロセッサは、太陽光発電装置による発電量と電力系統への売電量とを取得し、端末通信インターフェイスを介して太陽光発電装置に関する情報をサーバへと送信し、サーバからのメッセージをディスプレイに表示させる。サーバは、サーバ通信インターフェイスと、サーバ通信インターフェイスを介して、太陽光発電装置による発電量と電力系統への売電量との差分または割合に対応するメッセージをコントローラへと送信するためのサーバプロセッサとを含む。
【００１０】
好ましくは、プロセッサは、端末通信インターフェイスを介して、太陽光発電装置による発電量と太陽光発電装置から電力系統への売電量とを、太陽光発電装置に関する情報としてサーバへと送信する。サーバは、複数種類のメッセージの各々を発電量と売電量との差分または割合に対応するポイントに対応付けて記憶するためのメモリを含む。サーバプロセッサは、発電量と売電量との差分または割合に対応するポイントを計算し、ポイントをコントローラ毎にメモリに累積し、サーバ通信インターフェイスを介してポイントに対応するメッセージをコントローラへと送信する。
【００１１】
好ましくは、プロセッサは、太陽光発電装置による発電量と、太陽光発電装置から電力系統への売電量との差分または割合に対応するポイントを計算し、端末通信インターフェイスを介してポイントを、太陽光発電装置に関する情報としてサーバへと送信する。サーバは、複数種類のメッセージの各々をポイントに対応付けて記憶するためのメモリを含む。サーバプロセッサは、ポイントをコントローラ毎にメモリに累積し、サーバ通信インターフェイスを介してポイントに対応するメッセージをコントローラへと送信する。
【００１２】
好ましくは、コントローラは、少なくとも１つの家電と通信可能である。プロセッサは、端末通信インターフェイスを介して少なくとも１つの家電に関する家電情報をサーバへと送信する。メモリは、複数種類のメッセージの各々を家電情報に対応付けて記憶する。サーバプロセッサは、サーバ通信インターフェイスを介して家電情報に対応するメッセージをコントローラへと送信する。
【００１３】
この発明の別の局面に従うと、太陽光発電装置と通信可能なコントローラと、コントローラと通信可能なサーバとを含むネットワークシステムにおける通信方法が提供される。通信方法は、コントローラが、太陽光発電装置による発電量を取得するステップと、コントローラが、電力系統への売電量とを取得するステップと、コントローラが、太陽光発電装置に関する情報をサーバへと送信するステップと、サーバが、太陽光発電装置による発電量と電力系統への売電量との差分または割合に対応するメッセージをコントローラへと送信するステップと、コントローラが、サーバからのメッセージをディスプレイに表示させるステップとを備える。
【発明の効果】
【００１４】
以上のように、本発明によって、太陽光発電装置が生成した電力と系統へ売却した電力とに基づいて、ユーザに有益な情報を与えることができるネットワークシステムおよび通信方法が提供される。
【図面の簡単な説明】
【００１５】
【図１】本実施の形態に係るネットワークシステム１の全体構成を示すイメージ図である。
【図２】本実施の形態に係るホームコントローラ１００のハードウェア構成を表わすブロック図である。
【図３】本実施の形態に係る家電情報１０１Ａを示すイメージ図である。
【図４】本実施の形態に係る宅内情報１０１Ｂを示すイメージ図である。
【図５】本実施の形態に係る宅外情報１０１Ｃを示すイメージ図である。
【図６】本実施の形態に係るサーバ３００のハードウェア構成を表わすブロック図である。
【図７】本実施の形態に係るボーナスメッセージ３０１Ｃを示すイメージ図である。
【図８】本実施の形態に係る累積メッセージ３０１Ｄを示すイメージ図である。
【図９】本実施の形態に係る簡易機種メッセージ３０１Ｅを示すイメージ図である。
【図１０】本実施の形態に係る詳細機種メッセージ３０１Ｆを示すイメージ図である。
【図１１】ポイントＡテーブル３０１Ａを示すイメージ図である。
【図１２】ポイントＢテーブル３０１Ｂを示すイメージ図である。
【図１３】アドバイス例を示すイメージ図である。
【図１４】本実施の形態に係るサーバ３００における簡易な通信処理の処理手順を示すフローチャートである。
【図１５】本実施の形態に係るサーバ３００における詳細な通信処理の処理手順を示すフローチャートである。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
＜ネットワークシステムの動作概要＞
まず、本実施の形態に係るネットワークシステムの動作概要について説明する。図１は、本実施の形態に係るネットワークシステム１の全体構成を示すイメージ図である。
【００１８】
図１を参照して、本実施の形態に係るネットワークシステム１は、たとえば、住宅毎に、寝室に設置されるエアコン２００Ａ、洗濯室に設置される洗濯機２００Ｂ、キッチンに設置される冷蔵庫２００Ｃ、リビングルームに設置されるテレビ２００Ｄ、ダイニングルームに設置されるライト２００Ｅ、太陽光発電装置２００Ｘ、蓄電池２００Ｙ、パワーコンディショナ１５１、電力メータ１５２などを含む。
【００１９】
パワーコンディショナ１５１は、太陽光発電装置２００Ｘによって発電された電力を、蓄電池２００Ｙに蓄積したり、家電２００Ａ〜２００Ｅに供給したり、電力メータ１５２を介して系統に売却したりする。電力メータ１５２は、系統から住宅へと買い入れた電力量や、住宅（太陽光発電装置２００Ｘあるいは蓄電池２００Ｙ）から系統へと売却した電力量を測定する。なお、家電２００Ａ〜２００Ｅおよびホームコントローラ１００は、電力線４０３を介して、太陽光発電装置２００Ｘ、蓄電池２００Ｙ、パワーコンディショナ１５１などから電力を取得する。
【００２０】
これによって、コントローラ１００は、電力メータ１５２から、系統から住宅へと買い入れた電力量や、住宅から系統へと売却した電力量を取得することができる。なお、電力メータ１５２の機能をパワーコンディショナ１５１が有していてもよい。
【００２１】
ネットワークシステム１は、住宅毎に、家電２００Ａ〜２００Ｙを制御するためのホームコントローラ１００を含む。そして、住宅毎に、ホームコントローラ１００は、有線あるいは無線のネットワーク４０１を介して、家電２００Ａ〜２００Ｙとデータ通信が可能である。ホームコントローラ１００は、ネットワーク４０１として、たとえば、有線ＬＡＮ（Local  Area  Network）、無線ＬＡＮ、ＰＬＣ（Power  Line  Communications）、ZigBee（登録商標）、あるいはBluetooth（登録商標）などを利用する。
【００２２】
ネットワークシステム１は、ホームコントローラ１００とデータ通信可能なサーバ３００を含む。ホームコントローラ１００は、ネットワーク４０２として、たとえば、インターネット、キャリア網、ＷＡＮ（Wide  Area  Network）、ＬＡＮ、ZigBee（登録商標）、あるいはBluetooth（登録商標）などを利用する。なお、ネットワーク４０１とネットワーク４０２とは、同一の規格を利用するものであってもよい。
【００２３】
本実施の形態に係るサーバ３００は、住宅毎に、ネットワーク４０２を介して、ホームコントローラ１００から家電２００Ａ〜２００Ｙに関する情報、太陽光発電装置２００Ｘが発電した電力量、系統に売却された電力量などを取得する。サーバ３００は、住宅毎に、ホームコントローラ１００に接続されている家電２００Ａ〜２００Ｙの機種や所定期間における電力消費量などを取得する。
【００２４】
サーバ３００は、ホームコントローラ１００からの情報に基づいて、ホームコントローラ１００のユーザに有益な情報をホームコントローラ１００へと送信する。ここで、ユーザに有益な情報とは、たとえば、商品電力が少ない新しい家電を紹介するためのテキストや画像を含む。これらの情報をユーザに提供することは、サーバ３００を運営する会社にとっても有益である。
【００２５】
より詳細には、ホームコントローラ１００のユーザは、上記の情報を望まない可能性がある。そのため、本実施の形態においては、サーバ３００は、ホームコントローラ１００毎に（ホームコントローラのユーザ毎に）、太陽光発電装置２００Ｘが発電した電力量から系統に売却された電力量を減じた値（差分）に対応するポイントを累積する。ホームコントローラ１００のユーザは、当該ポイントを使用することによって、直接的にあるいは間接的にサーバ３００を運営する会社から電化製品などを購入することができる。
【００２６】
ただし、ポイントは、このような数値に限定されるものではない。たとえば、ポイントは、太陽光発電装置２００Ｘが発電した電力量と系統に売却された電力量との割合（たとえば、太陽光発電装置２００Ｘが発電した電力量を系統に売却された電力量で除した値）に対応する数値であってもよい。あるいは、ポイントは、太陽光発電装置２００Ｘが発電した電力量とその他の数値とが考慮されたものであってもよいし、系統に売却された電力量とその他の数値とが考慮されたものであってもよい。
【００２７】
たとえば、サーバ３００は、当該電化製品のメーカや、当該電化製品の販売会社などが運営する。すなわち、サーバ３００の運営者は、製品を購入することができるポイントをユーザに付与する見返りに、当該ユーザの住宅の家電２００Ａ〜２００Ｙに関する情報に基づいて、当該ユーザに接触することができる。たとえば、サーバ３００は、ホームコントローラ１００のユーザに新しい家電を宣伝することができる。
【００２８】
以下、このような機能を実現するためのネットワークシステム１の具体的な構成について詳述する。なお、以下では、家電２００Ａ〜２００Ｙを総称して、家電２００ともいう。
【００２９】
＜ホームコントローラ１００のハードウェア構成＞
本実施の形態に係るホームコントローラ１００のハードウェア構成の一態様について説明する。図２は、本実施の形態に係るホームコントローラ１００のハードウェア構成を表わすブロック図である。
【００３０】
ホームコントローラ１００は、メモリ１０１と、ディスプレイ１０２と、タブレット１０３と、ボタン１０４と、第１の通信インターフェイス１０５と、第２の通信インターフェイス１０７と、ＣＰＵ（Central  Processing  Unit）１１０とを含む。
【００３１】
メモリ１０１は、各種のＲＡＭ（Random  Access  Memory）や、ＲＯＭ（Read-Only  Memory）や、ハードディスクなどによって実現される。たとえば、メモリ１０１は、読取用のインターフェイスを介して利用される、ＵＳＢ（Universal  Serial  Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００３２】
メモリ１０１は、ＣＰＵ１１０によって実行される制御プログラムや、家電２００Ａ〜２００Ｙの状態などを記憶する。メモリ１０１は、家電毎の家電情報１０１Ａと、宅内情報１０１Ｂと、宅外情報１０１Ｃとを格納する。以下、メモリ１０１が格納するデータについて説明する。
【００３３】
図３は、本実施の形態に係る家電情報１０１Ａを示すイメージ図である。図３を参照して、１つの家電に対応する家電情報１０１Ａは、家電ＩＤと、機種情報（メーカコードおよび機種コード）と、稼動開始日と、総累積使用時間と、累積使用時間／月と、累積使用時間／日と、各家電の消費電力量／月と、各家電の消費電力量／日と、各家電の消費電力量／時間とを含む。
【００３４】
図４は、本実施の形態に係る宅内情報１０１Ｂを示すイメージ図である。図４を参照して、１つの住宅に対応する宅内情報１０１Ｂは、電気料金の契約種別と、家族構成情報と、建物情報（間取りや延べ床面積などを示す情報）とを含む。
【００３５】
図５は、本実施の形態に係る宅外情報１０１Ｃを示すイメージ図である。図５を参照して、１つの住宅に対応する宅外情報１０１Ｃは、翌日の時間帯別の電気料金と、デマンドレスポンス指令とを含む。
【００３６】
図２に戻って、ディスプレイ１０２は、ＣＰＵ１１０によって制御されることによって、家電２００Ａ〜２００Ｙの状態を表示する。タブレット１０３は、ユーザの指によるタッチ操作を検出して、タッチ座標などをＣＰＵ１１０に入力する。ＣＰＵ１１０は、タブレット１０３を介して、ユーザからの命令を受け付ける。
【００３７】
本実施の形態においては、ディスプレイ１０２の表面にタブレット１０３が敷設されている。すなわち、本実施の形態においては、ディスプレイ１０２とタブレット１０３とがタッチパネル１０６を構成する。ただし、ホームコントローラ１００は、タブレット１０３を有していなくとも良い。
【００３８】
ボタン１０４は、ホームコントローラ１００の表面に配置される。テンキーなどの複数のボタンがホームコントローラ１００に配置されても良い。ボタン１０４は、ユーザから様々な命令を受け付ける。ボタン１０４は、ユーザからの命令をＣＰＵ１１０に入力する。
【００３９】
第１の通信インターフェイス１０５は、ＣＰＵ１１０によって制御されることによって、ネットワーク４０１を介して、家電２００Ａ〜２００Ｙとデータを送受信する。上述したように、第１の通信インターフェイス１０５は、有線ＬＡＮ、無線ＬＡＮ、ＰＬＣ、ZigBee（登録商標）、あるいはBluetooth（登録商標）などを利用することによって、家電２００Ａ〜２００Ｙとデータを送受信する。
【００４０】
第２の通信インターフェイス１０７は、ＣＰＵ１１０によって制御されることによって、ネットワーク４０２を介して、サーバ３００とデータを送受信する。上述したように、第２の通信インターフェイス１０７は、インターネット、キャリア網、ＷＡＮ、ＬＡＮ、ZigBee（登録商標）、あるいはBluetooth（登録商標）などを利用することによって、サーバ３００とデータを送受信する。
【００４１】
ただし、第１の通信インターフェイス１０５と第２の通信インターフェイス１０７とは、１つの通信インターフェイス（１つのデバイス）であってもよい。
【００４２】
ＣＰＵ１１０は、メモリ１０１に記憶されている各種のプログラムを実行する。ホームコントローラ１００における処理は、各ハードウェアおよびＣＰＵ１１０により実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００４３】
このようなソフトウェアは、図示しない読取装置を利用することによってその記憶媒体から読み取られて、あるいは、第１の通信インターフェイス１０５あるいは第２の通信インターフェイス１０７を利用することによってダウンロードされて、メモリ１０１に一旦格納される。ＣＰＵ１１０は、ソフトウェアを実行可能なプログラムの形式でメモリ１０１に格納してから、当該プログラムを実行する。
【００４４】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００４５】
ここでいうプログラムとは、ＣＰＵにより直接実行可能なプログラムだけでなく、ソースプログラム形式のプログラム、圧縮処理されたプログラム、暗号化されたプログラム等を含む。
【００４６】
ＣＰＵ１１０は、第１の通信インターフェイス１０５を介して、家電２００Ａ〜２００Ｙから家電情報１０１Ａを受信する。換言すれば、家電２００Ａ〜２００Ｙは、ホームコントローラ１００からの要求に応じて、あるいは所定期間毎に、あるいは所定の動作を行う際に、家電情報１０１Ａをホームコントローラ１００に送信する。
【００４７】
ここで説明された家電２００の機能は、家電２００とは別の通信装置が有してもよい。当該通信装置は、家電２００とコンセントとの間に設置される。すなわち、通信装置は、家電２００の消費電力を検知したり、ホームコントローラ１００にデータを送信したり、通信装置の近傍のサーバ３００の識別情報を取得することができればよい。
【００４８】
ＣＰＵ１１０は、タッチパネル１０６あるいはボタン１０４を介して、ユーザから宅内情報１０１Ｂと宅外情報１０１Ｃを受け付ける。ＣＰＵ１１０は、第２の通信インターフェイス３０７を介して、サーバ３００に家電情報１０１Ａと宅内情報１０１Ｂと宅外情報１０１Ｃとを送信する。
【００４９】
なお、ＣＰＵ１１０は、第２の通信インターフェイス３０７を介して、外部のサーバから宅内情報１０１Ｂと宅外情報１０１Ｃと取得してもよい。また、後述するサーバ３００のＣＰＵ３１０が、通信インターフェイス３０５を介して、外部のサーバから宅内情報１０１Ｂと宅外情報１０１Ｃと取得してもよい。
【００５０】
ＣＰＵ１１０は、第１の通信インターフェイス１０５を介して、太陽光発電装置２００Ｘから発電量を取得する。ＣＰＵ１１０は、第１の通信インターフェイス１０５を介して、太陽光発電用パワーコンディショナ１５１、電力メータ１５２、住宅の配電盤などから、系統へ売却した電力量（売電量）を取得する。なお、ＣＰＵ１１０は、第１の通信インターフェイス１０５を介して、太陽光発電用パワーコンディショナ１５１、電力メータ１５２、住宅の配電盤などから、系統から購入した電力量（買電量）を取得する。ＣＰＵ１１０は、第１の通信インターフェイス１０５を介して、蓄電池２００Ｙから蓄電した電力量を取得してもよい。
【００５１】
本実施の形態においては、ＣＰＵ１１０が、第２の通信インターフェイス１０７を介して、サーバ３００に、発電量と、売電量と、買電量と、蓄電した電力量とを送信する。ＣＰＵ１１０は、第２の通信インターフェイス１０７を介して、サーバ３００から、発電量と売電量と買電量と蓄電した電力量などに対応するメッセージを受信する。ＣＰＵ１１０は、受信したメッセージをディスプレイ１０２に表示させる。
【００５２】
なお、ＣＰＵ１１０は、以下の式（１）に基づいて、太陽光発電装置２００Ｘが生成した電力のうち、住宅内で使用された電力に対応するポイントＡを計算してもよい。なお、ポイントは、太陽光発電装置２００Ｘが発電した電力量を系統に売却された電力量で除した値（割合）を示す数値であってもよい。すなわち、このポイントＡは、対象となる住宅が、ＣＯ２の削減や、省エネに寄与した度合いを示すものであることが好ましい。
【００５３】
ポイントＡ＝発電量−売電量                                        ・・・（１）
この場合には、ＣＰＵ１１０は、第２の通信インターフェイス１０７を介して、ポイントＡをサーバ３００に送信する。サーバ３００は、ホームコントローラ１００毎、またはホームコントローラ１００のユーザ毎に、ポイントＡを累積する。本実施の形態においては、ユーザは、たとえば、電化製品を購入する際に、累積されたポイントＴを現金のように使用することができる。
【００５４】
より詳細には、売電量に関しては、対象となる住宅のユーザは、ＣＯ２の削減や、省エネへの寄与の報奨として、電力の売却代金を得ることができる。換言すれば、ユーザは、売却した電力に対応する代金だけでなく、ＣＯ２の削減や、省エネへの寄与に対する報奨を得る事ができる。
【００５５】
あるいは、ＣＰＵ１１０は、以下の式（２）に基づいて、ポイントＢを計算してもよい。
【００５６】
ポイントＢ＝発電量−売電量−買電量                                ・・・（２）
この場合には、ＣＰＵ１１０は、第２の通信インターフェイス１０７を介して、ポイントＢをサーバ３００に送信する。サーバ３００は、ホームコントローラ１００毎、またはホームコントローラ１００のユーザ毎に、ポイントＢを累積する。本実施の形態においては、ユーザは、たとえば、電化製品を購入する際に、累積されたポイントＴを現金のように使用することができる。
【００５７】
なお、ポイントＢは、ホームコントローラ１００のユーザが、電力を節約すればするほど高くなるものであることが好ましい。ただし、ＣＰＵ１１０は、ポイントテーブルを参照して、発電量−売電量−買電量の値に基づいて、段階的にポイント（ボーナスポイントＣ）を算出してもよい。
【００５８】
より詳細には、売電量に関しては、対象となる住宅のユーザは、ＣＯ２の削減や、省エネへの寄与の報奨として、電力の売却代金を得ることができる。換言すれば、ユーザは、売却した電力に対応する代金だけでなく、ＣＯ２の削減や、省エネへの寄与に対する報奨を得る事ができる。
【００５９】
＜サーバ３００のハードウェア構成＞
本実施の形態に係るサーバ３００のハードウェア構成の一態様について説明する。図６は、本実施の形態に係るサーバ３００のハードウェア構成を表わすブロック図である。
【００６０】
図６を参照して、サーバ３００は、メモリ３０１と、ディスプレイ３０２と、タブレット３０３と、ボタン３０４と、通信インターフェイス３０５と、ＣＰＵ（Central  Processing  Unit）３１０とを含む。
【００６１】
メモリ３０１は、ホームコントローラ１００のメモリ１０１と同様に実現され得る。メモリ３０１は、ＣＰＵ３１０によって実行される制御プログラム、ホームコントローラ１００からのデータ、ボーナスメッセージ３０１Ｃ、累積メッセージ３０１Ｄ、簡易機種メッセージ３０１Ｅ（詳細機種メッセージ３０１Ｆ）を格納する。なお、メモリ３０１は、ポイントＡテーブル３０１Ａと、ポイントＢテーブル３０１Ｂと、アドバイステーブル３０１Ｘを格納してもよい。
【００６２】
図７は、本実施の形態に係るボーナスメッセージ３０１Ｃを示すイメージ図である。図７を参照して、ボーナスメッセージ３０１Ｃは、ポイントＡまたはポイントＢまたは累積ポイントＴ毎に、累積ポイントにボーナスポイントが追加される旨のメッセージを格納する。なお、ボーナスメッセージ３０１Ｃは、メッセージ毎に、追加されるボーナスポイントを格納することが好ましい。このようなメッセージをホームコントローラ１００に送信することによって、ユーザがポイントを累積しようとする動機を高めることができる。
【００６３】
図８は、本実施の形態に係る累積メッセージ３０１Ｄを示すイメージ図である。図８を参照して、累積メッセージ３０１Ｄは、累積ポイントＴ毎に、当該累積ポイントがたまった旨のメッセージを格納する。このようなメッセージをホームコントローラ１００に送信することによって、段階的にポイントがたまったことをユーザが認識し易くなる。
【００６４】
図９は、本実施の形態に係る簡易機種メッセージ３０１Ｅを示すイメージ図である。図９を参照して、簡易機種メッセージ３０１Ｅは、家電ＩＤと総使用時間とに対応付けて、対象となる家電に対応したメッセージを格納する。このようなメッセージをホームコントローラ１００に送信することによって、使用している家電と総使用時間とに適した情報をユーザが認識し易くなる。
【００６５】
なお、簡易機種メッセージ３０１Ｅは、メッセージを累積ポイントＴにも対応付けることが好ましい。すなわち、このようなメッセージをホームコントローラ１００に送信することによって、使用している家電と総使用時間と累積ポイントＴとに適した情報をユーザが認識し易くなる。
【００６６】
図１０は、本実施の形態に係る詳細機種メッセージ３０１Ｆを示すイメージ図である。図１０を参照して、詳細機種メッセージ３０１Ｆは、家電ＩＤと使用時間と消費電力とに対応付けて、対象となる家電に対応したメッセージを格納する。このようなメッセージをホームコントローラ１００に送信することによって、当該家電と使用時間と消費電力とに関する情報をユーザが認識し易くなる。
【００６７】
なお、詳細機種メッセージ３０１Ｆは、メッセージを累積ポイントＴにも対応付けることが好ましい。すなわち、このようなメッセージをホームコントローラ１００に送信することによって、使用している家電と総使用時間と消費電力と累積ポイントＴとに適した情報をユーザが認識し易くなる。
【００６８】
図６に戻って、本実施の形態においては、ディスプレイ３０２の表面にタブレット３０３が敷設されている。すなわち、本実施の形態においては、ディスプレイ３０２とタブレット３０３とがタッチパネル３０６を構成する。ただし、サーバ３００は、タブレット３０３を有していなくともよい。
【００６９】
ボタン３０４は、サーバ３００の表面に配置される。テンキーなどの複数のボタンがサーバ３００に配置されても良い。ボタン３０４は、ユーザからの命令を受け付ける。ボタン３０４は、ユーザからの命令をＣＰＵ３１０に入力する。
【００７０】
通信インターフェイス３０５は、ＣＰＵ３１０によって制御されることによって、ネットワーク４０２を介して、ホームコントローラ１００とデータを送受信する。上述したように、通信インターフェイス３０５は、インターネット、キャリア網、無線ＬＡＮ、ZigBee（登録商標）、あるいはBluetooth（登録商標）などを利用することによって、ホームコントローラ１００とデータを送受信する。
【００７１】
ＣＰＵ３１０は、メモリ３０１に記憶されている各種のプログラムを実行する。サーバ３００における処理は、各ハードウェアおよびＣＰＵ３１０により実行されるソフトウェアによって実現される。このようなソフトウェアは、メモリ３０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００７２】
このようなソフトウェアは、図示しない読取装置を利用することによってその記憶媒体から読み取られて、あるいは、通信インターフェイス３０５を利用することによってダウンロードされて、メモリ３０１に一旦格納される。ＣＰＵ３１０は、ソフトウェアを実行可能なプログラムの形式でメモリ３０１に格納してから、当該プログラムを実行する。
【００７３】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００７４】
ここでいうプログラムとは、ＣＰＵにより直接実行可能なプログラムだけでなく、ソースプログラム形式のプログラム、圧縮処理されたプログラム、暗号化されたプログラム等を含む。
【００７５】
本実施の形態においては、ＣＰＵ３１０は、通信インターフェイス３０５を介して、ホームコントローラ１００から、家電情報１０１Ａと宅内情報１０１Ｂと宅外情報１０１Ｃとを受信する。ＣＰＵ３１０は、通信インターフェイス３０５を介して、ホームコントローラ１００から、発電量と、売電量と、買電量と、蓄電した電力量とを受信する。
【００７６】
ＣＰＵ３１０は、上述の式（１）に基づいて、太陽光発電装置２００Ｘが生成した電力のうち、住宅内で使用された電力（ポイントＡ）を計算する。このポイントＡは、対象となる住宅が、ＣＯ２の削減や、省エネに寄与した度合いを示すものである。
【００７７】
サーバ３００は、ホームコントローラ１００毎、またはホームコントローラ１００のユーザ毎に、ポイントＡを累積する。ユーザは、たとえば、電化製品を購入する際に、累積されたポイントＴを現金のように使用することができる。
【００７８】
より詳細には、売電量に関しては、対象となる住宅のユーザは、ＣＯ２の削減や、省エネへの寄与の報奨として、電力の売却代金を得ることができる。換言すれば、ユーザは、対応する報奨が得られていない、ＣＯ２の削減や、省エネへの寄与に対する報奨を得る事ができる。
【００７９】
あるいは、ＣＰＵ３１０は、上述の式（２）に基づいて、ポイントＢを計算してもよい。そして、ＣＰＵ３１０は、ポイントテーブルを参照して、発電量−売電量−買電量の値に基づいて、段階的にポイント（ボーナスポイントＣ）を算出してもよい。
【００８０】
この場合にも、サーバ３００は、ホームコントローラ１００毎、またはホームコントローラ１００のユーザ毎に、ポイントＢを累積する。ユーザは、たとえば、電化製品を購入する際に、累積されたポイントＴを現金のように使用することができる。
【００８１】
より詳細には、ポイントＢは、ホームコントローラ１００のユーザが、電力を節約すればするほど高くなる。売電量に関しては、対象となる住宅のユーザは、ＣＯ２の削減や、省エネへの寄与の報奨として、電力の売却代金を得ることができる。換言すれば、ユーザは、対応する報奨が得られていない、ＣＯ２の削減や、省エネへの寄与に対する報奨を得る事ができる。
【００８２】
ＣＰＵ３１０は、メモリ３０１から、ポイントＡ（またはポイントＢまたはポイントＣ）に対応するメッセージを読み出す。ＣＰＵ３１０は、通信インターフェイス３０５を介して、当該メッセージをホームコントローラ１００に送信する。
【００８３】
より詳細には、ＣＰＵ３１０は、メモリ３０１のボーナスメッセージ３０１Ｃを参照して、ポイントＡまたはポイントＢまたは累積ポイントＴに対応するメッセージを読み出す。ＣＰＵ３１０は、通信インターフェイス３０５を介して、当該メッセージをホームコントローラ１００に送信する。ＣＰＵ３１０は、累積ポイントＴにボーナスポイントを追加する。
【００８４】
ＣＰＵ３１０は、メモリ３０１の累積メッセージ３０１Ｄを参照して、累積ポイントＴに対応するメッセージを読み出す。ＣＰＵ３１０は、通信インターフェイス３０５を介して、当該メッセージをホームコントローラ１００に送信する。
【００８５】
また、ＣＰＵ３１０は、メモリ３０１の簡易機種メッセージ３０１Ｅを参照して、取得したポイントＡ（またはポイントＢまたは累積ポイントＴ）と家電ＩＤと総使用時間とに対応するメッセージを読み出す。ＣＰＵ３１０は、通信インターフェイス３０５を介して、当該メッセージをホームコントローラ１００に送信する。
【００８６】
また、ＣＰＵ３１０は、メモリ３０１の詳細機種メッセージ３０１Ｆを参照して、取得したポイントＡ（またはポイントＢまたは累積ポイントＴ）と家電ＩＤと総使用時間と消費電力とに対応するメッセージを読み出す。ＣＰＵ３１０は、通信インターフェイス３０５を介して、当該メッセージをホームコントローラ１００に送信する。
【００８７】
なお、ＣＰＵ３１０は、図１１に示すようなポイントＡテーブル３０１Ａに基づいて、ポイントＡを取得してもよい。図１１は、ポイントＡテーブル３０１Ａを示すイメージ図である。図１１を参照して、ポイントＡテーブル３０１Ａは、発電量−売電量の値に対応付けて、ポイントＡの値を格納する。なお、ここでは、ポイントＡは、発電量−売電量の値に段階的に比例する。
【００８８】
あるいは、ＣＰＵ３１０は、図１２に示すようなポイントＢテーブル３０１Ｂに基づいて、ポイントＢを取得してもよい。図１２は、ポイントＢテーブル３０１Ｂを示すイメージ図である。図１２を参照して、ポイントＡテーブル３０１Ｂは、発電量−売電量の値に対応付けて、ポイントＢの値を格納する。なお、発電量−売電量の値と、ポイントＢの値とが線形関係ではない。そして、発電量−売電量の値がマイナスの場合にも、ポイントＢの値が正の値をとる。
【００８９】
ＣＰＵ３１０は、通信インターフェイス３０５を介して、ホームコントローラ１００からポイントＡ、ポイントＢ、ボーナスポイントＣまたは累積ポイントＴを受信しても良い。
【００９０】
上記のメッセージだけでなく、サーバ３００は、図１３に示すような様々なメッセージをホームコントローラ１００に送信することが好ましい。図１３は、アドバイス例（アドバイステーブル３０１Ｘ）を示すイメージ図である。
【００９１】
図１３を参照して、ＣＰＵ３１０は、ホームコントローラ１００からの家電情報１，２，３，４に基づいて、すなわち、家電の機種、使用年数、累積使用時間に基づいて、古い家電の買い替えを提案するためのメッセージを送信してもよい。ＣＰＵ３１０は、ホームコントローラ１００からの家電情報１，２，３，４，５，７に基づいて、すなわち、一月あたりの累積使用時間、消費電力量に基づいて、新機種への買い替えによる一月あたりのＣＯ２削減量、電気代削減量を提示するためのメッセージを送信してもよい。
【００９２】
ＣＰＵ３１０は、ホームコントローラ１００からの家電情報１，２，５，６，７，８に基づいて、すなわち、家電の消費電力量に基づいて、電力を使いすぎの家電に関する省エネを促すためのメッセージを送信してもよい。ＣＰＵ３１０は、ホームコントローラ１００からの家電情報１，２，５，６，７，８，ＩＩ，ＩＩＩに基づいて、すなわち、対象となるホームコントローラ１００が設置された世帯と家族構成を有する世帯の家電の消費電力の平均値に基づいて、電力を使いすぎている家電に関する省エネを促すためのメッセージを送信してもよい。
【００９３】
ＣＰＵ３１０は、ホームコントローラ１００からの家電情報１，２，９に基づいて、すなわち、各家電の時間当たりの消費電力量に基づいて、消費電力のピークカットを目的とした家電利用スケジュールを提案する（ある時間帯に集中して家電を利用しないように、利用時間のシフトが可能な家電に関して新たな利用スケジュールを提案する）ためのメッセージを送信してもよい。ＣＰＵ３１０は、ホームコントローラ１００からの家電情報１，２，９，ｂに基づいて、すなわち、デマンドレスポンス指令に基づいて、家電の動作スケジュールを提案するためのメッセージを送信してもよい。ＣＰＵ３１０は、ホームコントローラ１００からの家電情報１，２，９，Ｉ，ａに基づいて、すなわち、電気料金の契約種別または翌日の時間帯別電気料金に基づいて、電力コストを低減させるための家電の利用スケジュールを提案するためのメッセージを送信してもよい。
【００９４】
＜サーバ３００における簡易な通信処理＞
次に、本実施の形態に係るサーバ３００における簡易な通信処理について説明する。図１４は、本実施の形態に係るサーバ３００における簡易な通信処理の処理手順を示すフローチャートである。
【００９５】
図１４を参照して、ＣＰＵ３１０は、通信インターフェイス３０５を介して、ホームコントローラ１００から、発電量と、売電量と、買電量と、蓄電量とを受信する（ステップＳ１０２）。ＣＰＵ３１０は、上記式（１）に基づいて、ポイントＡを算出する（ステップＳ１０４）。あるいは、ＣＰＵ３１０は、上記式（２）に基づいて、ポイントＢを算出する。ＣＰＵ３１０は、ポイントＡまたはポイントＢを、メモリ３０１の累積ポイントＴに追加する。
【００９６】
ＣＰＵ３１０は、メモリ３０１を参照して、ポイントＡまたはポイントＢまたは累積ポイントＴに対応するメッセージを取得する（ステップＳ１０６）。ＣＰＵ３１０は、通信インターフェイス３０５を介して、当該メッセージをホームコントローラ１００に送信する（ステップＳ１０８）。
【００９７】
これによって、ホームコントローラ１００は、ポイントＡまたはポイントＢに基づいた、サーバ３００からのメッセージを表示することができる。
【００９８】
＜サーバ３００における詳細な通信処理＞
次に、本実施の形態に係るサーバ３００における詳細な通信処理について説明する。図１５は、本実施の形態に係るサーバ３００における詳細な通信処理の処理手順を示すフローチャートである。
【００９９】
図１５を参照して、ＣＰＵ３１０は、通信インターフェイス３０５を介して、ホームコントローラ１００から、発電量と、売電量と、買電量と、蓄電量と、家電情報１０１Ａと、宅内情報１０１Ｂと、宅外情報１０１Ｃとを受信する（ステップＳ２０２）。なお、ＣＰＵ３１０は、既に、家電情報１０１Ａと、宅内情報１０１Ｂと、宅外情報１０１Ｃとのいずれかを取得していてもよい。
【０１００】
ＣＰＵ３１０は、上記式（１）に基づいて、ポイントＡを算出する（ステップＳ２０４）。あるいは、ＣＰＵ３１０は、上記式（２）に基づいて、ポイントＢを算出する。ＣＰＵ３１０は、ポイントＡまたはポイントＢを、メモリ３０１の累積ポイントＴに追加する。
【０１０１】
ＣＰＵ３１０は、変数Ｎに家電の数を代入する（ステップＳ２０６）。ＣＰＵ３１０は、変数ｉを初期化する（ステップＳ２０８）。ＣＰＵ３１０は、ポイントＡまたはポイントＢまたは累積ポイントＴと、変数ｉに対応する家電に関する家電情報１０１Ａと、に基づいて、メモリ３０１にそれらに適合したメッセージが準備されているか否かを判断する（ステップＳ２１０）。
【０１０２】
適合したメッセージが準備されていない場合（ステップＳ２１０においてＮＯである場合）、ステップＳ２１４からの処理を実行する。適合したメッセージが準備されている場合（ステップＳ２１０においてＹＥＳである場合）、ＣＰＵ３１０は、メモリ３０１から当該メッセージを読み出す（ステップＳ２１２）。
【０１０３】
ＣＰＵ３１０は、変数ｉ＝Ｎであるか否かを判断する（ステップＳ２１４）。ＣＰＵ３１０は、変数ｉ＝Ｎでない場合（ステップＳ２１４においてＮＯである場合）、変数ｉをインクリメントする（ステップＳ２１６）。ＣＰＵ３１０は、ステップＳ２１０からの処理を繰り返す。ＣＰＵ３１０は、変数ｉ＝Ｎである場合（ステップＳ２１４においてＹＥＳである場合）、通信インターフェイス３０５を介して、ホームコントローラ１００に全ての上記適合したメッセージを送信する（ステップＳ２１８）。
【０１０４】
これによって、ホームコントローラ１００は、ポイントＡまたはポイントＢまたは累積ポイントＴと、ホームコントローラ１００に接続されている家電に関する家電情報１０１Ａと、に基づいた（対応する）、サーバ３００からのメッセージを表示することができる。
【０１０５】
＜その他の実施の形態＞
本発明は、ホームコントローラや家電や携帯電話にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読み出し実行することによっても、本発明の効果を享受することが可能となる。
【０１０６】
この場合、記憶媒体から読み出されたプログラムコード自体が前述した実施の形態の機能を実現することになり、そのプログラムコードを記憶した記憶媒体は本発明を構成することになる。
【０１０７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１０８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１０９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１０】
１  ネットワークシステム、１００  ホームコントローラ、１０１，３０１  メモリ、１０２，３０２  ディスプレイ、１０３，３０３  タブレット、１０４，３０４  ボタン、１０５  第１の通信インターフェイス、１０６，３０６  タッチパネル、１０７  第２の通信インターフェイス、１１０，３１０  ＣＰＵ、２００  家電、２００Ａ  エアコン、２００Ｂ  洗濯機、２００Ｃ  冷蔵庫、２００Ｄ  テレビ、２００Ｅ  ライト、２００Ｘ  太陽光発電装置、２００Ｙ  蓄電池、３００  サーバ、３０５  通信インターフェイス、４０１  第１のネットワーク、４０２  第２のネットワーク。
【図１】
2012027697.tif 000003
【図２】
2012027697.tif 000004
【図３】
2012027697.tif 000005
【図４】
2012027697.tif 000006
【図５】
2012027697.tif 000007
【図６】
2012027697.tif 000008
【図７】
2012027697.tif 000009
【図８】
2012027697.tif 000010
【図９】
2012027697.tif 000011
【図１０】
2012027697.tif 000012
【図１１】
2012027697.tif 000013
【図１２】
2012027697.tif 000014
【図１３】
2012027697.tif 000015
【図１４】
2012027697.tif 000016
【図１５】
2012027697.tif 000017